(57)【要約】【課題】部品ユニットおよびｐｉｎヘッダーにおける使用部品の削減によるコストダウンを目的とする。【解決手段】部品ユニット１は、ｐｉｎヘッダー２、基板３、およびシャーシ筐体４を備えている。なお、ｐｉｎヘッダー２は、複数のリード端子５およびモールド樹脂６を備えている。モールド樹脂６は、リード端子５における基板３の平面に対して垂直な部分を固定する。また、モールド樹脂６は、シャーシ筐体４と嵌合する。よって、本発明は、外部からの衝撃によるリード端子の折れや曲がりなどを防ぎつつ、従来のｐｉｎヘッダーでは２つ必要であるモールド樹脂の数を１つに削減できる。【選択図】図１
2009146609.tif 000002
【特許請求の範囲】
【請求項１】
直角に曲げられた構造を有し、かつ一端が基板と接続し、さらに互いに並列に配された複数のリード端子と、
前記リード端子において前記基板の平面に対して垂直となる部分を固定し、かつ前記基板を囲むシャーシ筐体に嵌合する構造を有するモールド樹脂とを備えることを特徴とするｐｉｎヘッダー。
【請求項２】
請求項１に記載のｐｉｎヘッダーと、
前記基板と、
前記シャーシ筐体とを備えることを特徴とする部品ユニット。
【請求項３】
請求項２に記載の部品ユニットを備えることを特徴とするテレビ放送用の電波受信装置。
【発明の詳細な説明】
【技術分野】
【０００１】
本発明は、リード端子およびモールド樹脂からなるｐｉｎヘッダーに関する。さらに当該ｐｉｎヘッダーを備える部品ユニットに関する。さらに当該部品ユニットを備える電波受信装置に関する。
【背景技術】
【０００２】
テレビ放送用の電波受信装置などに用いられる高周波回路においては、高周波信号の漏洩を防止するなどの目的により、基板の周囲にシールドケースが設けられる。これに関する従来技術として、たとえば特許文献１には、シールドケース側面から同一方向に導出された複数のＬ型リード端子が開示されている。このＬ型リード端子によりシールドケースが設けられた基板を他の基板などに実装することができる。
【０００３】
しかし、特許文献１の技術では、複数のリード端子の端部位置が変動する場合、複数のリード端子それぞれをシールドケースの対応する位置に合わせることは、困難を有する。そこで、特許文献２では、シールドケースに対して複数のリード端子の位置決めを容易にする方法を開示している。この方法は、コネクタと固定用ソケットとの組み合わせを、複数のリード端子に用いる。複数のリード端子は、コネクタを貫通することにより、揃えられる。また、複数のリード端子は、固定用ソケットにも挿入され、この固定用ソケットは、シールドケースと嵌合する。コネクタおよび固定用ソケットは樹脂から形成されることによって、リード端子は圧迫保持される。
【０００４】
一般に、リード端子には、外部からの衝撃により、折れや曲がり、または歪みなどが発生しやすい。そこで、リード端子の折れ曲がり防止のためにモールド樹脂を用いる方法がある。ここで、複数のリード端子およびモールド樹脂からなる構成をｐｉｎヘッダーと称する。従来のｐｉｎヘッダーおよびこれを備える部品ユニットについて、図３を参照して以下に説明する。
【０００５】
図３（ａ）は、シャーシ筐体１４に対する基板１３およびｐｉｎヘッダー１２の組み付け位置を示す図である。図３（ｂ）は、組み付け後の部品ユニット１０を示す図である。これらの図に示すように、部品ユニット１０は、基板１３と、基板１３の側面を囲うシャーシ筐体１４と、ｐｉｎヘッダー１２とを備える。また、ｐｉｎヘッダー１２は、複数のリード端子１５、およびモールド樹脂１６，１７を備える。
【０００６】
図３（ｂ）に示すように、ｐｉｎヘッダー１２は２つのモールド樹脂１６，１７を備えている。モールド樹脂１６は、複数のリード端子１５の基板１３と平行な部分を固定し、シャーシ筐体１４の側面に嵌合している。リード端子１５において、シャーシ筐体１４内側にある端部は、基板１３と接続している。
【０００７】
また、モールド樹脂１７は、リード端子１５において、基板１３と接続した反対側の端部を固定している。この端部は、特に外部からの衝撃の影響を受けやすい。モールド樹脂１７が、この端部を固定することにより、複数のリード端子１５は、外部からの衝撃による折れや曲がり、または歪みなどから防がれる。
【特許文献１】実開平１-１７４９９６（公開日  平成１年１２月１３日）
【特許文献２】特開平１１‐１６３５７３（公開日  平成１１年６月１８日）
【発明の開示】
【発明が解決しようとする課題】
【０００８】
最近は、様々な装置のコストダウンが求められており、それに伴い、1つ１つの部品についてのコストダウンも必然的に求められている。したがって、部品ユニットに対してもコストダウンが求められ、形状の簡素化、または使用部品を極限まで少なくすることが必須となっている。
【０００９】
しかしながら、従来の図３に示す部品ユニットにおいて、使用部品を減らすことは難しい。図３に示す部品ユニットの構造によると、ｐｉｎヘッダーがシャーシ筐体と嵌合するために、モールド樹脂は必要な部材である。さらに、外部からの衝撃によるリード端子の折れ曲がりなどを防ぐためは、２つのモールド樹脂を必要とする。
【００１０】
本発明は上記の問題点に鑑みてなされたものであり、その目的は、使用するモールド樹脂の数を減らすことにより、構成の簡素化およびコストダウンを実現したｐｉｎヘッダー、部品ユニット、および電波受信装置を提供することにある。
【課題を解決するための手段】
【００１１】
本発明に係るｐｉｎヘッダーは、上記の課題を解決するために、直角に曲げられた構造を有し、かつ一端が基板と接続し、さらに互いに並列に配された複数のリード端子と、前記リード端子において前記基板の平面に対して垂直となる部分を固定し、かつ前記基板を囲むシャーシ筐体に嵌合する構造を有するモールド樹脂とを備えることを特徴とする。
【００１２】
上記の構成によれば、ｐｉｎヘッダーにおいて、複数のリード端子は、１つのモールド樹脂により固定される。さらに、このモールド樹脂がシャーシ筐体と勘合することにより、ｐｉｎヘッダーはシャーシ筐体と嵌合できる。
【００１３】
なお、複数のリード端子はそれぞれ直角に曲げられた構造であるため、ｐｉｎヘッダーがシャーシ筐体と嵌合すると、複数のリード端子において基板の平面に対して垂直となる部分が固定されつつ、その直角に曲げられた一端は基板と接続できる。
【００１４】
よって、モールド樹脂は単体（１つ）で、複数のリード端子を保護する役割と、シャーシ筐体と嵌合する役割との２つの役割を果たすことができる。そのため、本発明は、従来のｐｉｎヘッダーでは２つ必要であるモールド樹脂の数を、１つにできる。これにより、外部からの衝撃によるリード端子の折れや曲がり、または歪みを防ぎつつ、使用部品の削減による、ｐｉｎヘッダー構成の簡素化およびコストダウンを実現できる。
【００１５】
また、前記ｐｉｎヘッダーは、前記基板と、前記シャーシ筐体とを備えることにより、部品ユニットを構成することができる。上記の構成によれば、部品ユニットの構成の簡素化およびコストダウンを実現できる。
【００１６】
また、本発明に係る部品ユニットは、テレビ放送用の電波受信装置に適用することができる。
【発明の効果】
【００１７】
以上のように、本発明に係るｐｉｎヘッダーは、直角に曲げられた構造を有し、かつ一端が基板と接続し、さらに互いに並列に配された複数のリード端子と、前記リード端子において前記基板の平面に対して垂直となる部分を固定し、かつ前記基板を囲むシャーシ筐体に嵌合する構造を有するモールド樹脂とを備えている。したがって、本発明は、従来のｐｉｎヘッダーでは２つ必要であるモールド樹脂の数を、１つにできる。これにより、外部からの衝撃によるリード端子の折れや曲がり、または歪みを防ぎつつ、使用部品の削減による、ｐｉｎヘッダー構成の簡素化およびコストダウンを実現できる。
【発明を実施するための最良の形態】
【００１８】
〔実施形態１〕
本発明の一実施形態に係る部品ユニット１およびｐｉｎヘッダー２について、図１に基づいて説明する。なお、以下の説明では、本発明を実施するために技術的に好ましい種々の限定が付されているが、本発明の範囲は以下の実施形態および図面に限定されるものではない。
【００１９】
（全体構成）
本実施形態における部品ユニット１およびｐｉｎヘッダー２の構成を図１に示す。図１（ａ）は、シャーシ筐体１４に対する基板１３およびｐｉｎヘッダー２の組み付け位置を示す図である。図１（ｂ）は、組み付け後の部品ユニット１を示す図である。
【００２０】
図１（ａ）および（ｂ）に示すように、部品ユニット１は、ｐｉｎヘッダー２、基板３、およびシャーシ筐体４を備えている。また、ｐｉｎヘッダー２は、複数のリード端子５、および１つのモールド樹脂６を備えている。なお、リード端子５の数は複数であれば特に限定されない。
【００２１】
図１（ａ）に示すように、基板３は、シャーシ筐体４の枠内に嵌合し、ｐｉｎヘッダー２は、シャーシ筐体４の側面に嵌合する。それにより、図１（ｂ）に示すような部品ユニット１が構成される。
【００２２】
（ｐｉｎヘッダー２の構成）
ｐｉｎヘッダー２の構成、すなわちｐｉｎヘッダー２の備える複数のリード端子５、および１つのモールド樹脂６について、以下に説明する。
【００２３】
図１（ｂ）に示すように、複数のリード端子５は、いずれも、リード端子５の全長が２箇所で直角に折り曲げられた構造をしている。シャーシ筐体４の外側には、リード端子５のうち、基板３の平面に対して垂直な部分が配置される。この部分の端部を介すことにより、部品ユニット１を他の基板などに実装できる。また、リード端子５のうち、基板３の平面に対して平行な部分部分は、シャーシ筐体４の上側を通過する。シャーシ筐体４の内側では、リード端子５のうち、基板３の平面に対して垂直なもう一方の部分が、基板３と垂直に接続する。
【００２４】
モールド樹脂６は、リード端子５における、基板３の平面に対して垂直な２つ部分のうち、シャーシ筐体４の外側に配置されるものに貫通された状態で、リード端子５を固定している。この構成により、モールド樹脂６は、複数のリード端子５を結束し、かつ外部からの衝撃より保護している。
【００２５】
また、図１（ａ）に示すように、モールド樹脂６のうちシャーシ筐体と向き合う側には、リード端子５のうちモールド樹脂６によって結束される部分と垂直な方向に突き出る凸構造を有している。この凸構造は、シャーシ筐体４と勘合する。これにより、図１（ｂ）に示すように、モールド樹脂６は、複数のリード端子５を結束しつつ、さらにシャーシ筐体４と勘合できる。
【００２６】
上記構成により、ｐｉｎヘッダー２は、単体（１つ）のモールド樹脂６によって、シャーシ筐体４と嵌合でき、かつ外部からの衝撃によるリード端子５の折れや曲がり、または歪みの防止ができる。したがって、ｐｉｎヘッダー２を備える部品ユニット１も、同様の作用効果を奏する。このように、部品ユニット１およびｐｉｎヘッダー２は、従来では２つ必要であるモールド樹脂の数を１つにできるため、使用部品の削減によるコストダウンを図ることができる。さらに、モールド樹脂６が１つであることにより、部品ユニット１およびｐｉｎヘッダー２の構成の簡素化および小型化も実現できる。
【００２７】
（シャーシ筐体４の構成）
図１（ａ）に示すように、ｐｉｎヘッダー２と勘合するシャーシ筐体４の側面には、嵌合のための孔が設けられている。さらに、このシャーシ筐体４の側面における、リード端子５が通過する部分は、一部欠けていることが好ましい。それにより、リード端子５の余分なはみ出しを防ぎ、部品ユニット１の小型化を実現できる。
【００２８】
〔実施形態２〕
本発明の第二実施形態である部品ユニット１ａおよびｐｉｎヘッダー２ａを図２に基づいて説明する。図２（ａ）は、シャーシ筐体４に対する基板３およびｐｉｎヘッダー２ａの組み付け位置を示す図である。図２（ｂ）は、部品ユニット１ａを示す図である。図２に示すように、部品ユニット１ａおよびｐｉｎヘッダー２ａは、リード端子５ａの形状をのぞいて、部品ユニット１およびｐｉｎヘッダー２と同一の構成をしており、同一構成には同一符号を付している。
【００２９】
図２（ｂ）に示すように、複数のリード端子５ａは、いずれも、リード端子５ａの全長が１箇所で直角に折り曲げられた構造をしている。実施形態１と同様、シャーシ筐体４の外側には、リード端子５ａのうち、基板３の平面に対して垂直な部分が配置される。また、リード端子５ａのうち、基板３の平面に対して平行な部分部分は、シャーシ筐体４上方を通過し、その端部が基板３に接続される。なお、シャーシ筐体における、リード端子５ａが通過する部分は、欠けていることが好ましい。
【００３０】
また、モールド樹脂６は、実施形態１と同様に、複数のリード端子５ａを固定し、かつ、シャーシ筐体４と嵌合する。
【００３１】
上記構成により、ｐｉｎヘッダー２ａは、単体（１つ）のモールド樹脂６によって、シャーシ筐体４と嵌合でき、かつ外部からの衝撃によるリード端子５の折れや曲がり、または歪みの防止ができる。したがって、ｐｉｎヘッダー２ａを備える部品ユニット１ａも、同様の作用効果を奏する。
【００３２】
また、リード端子５ａの直角な折れ曲がりを１箇所にすることにより、リード端子５ａの構成の簡素化ができ、その結果、実施形態１よりもコストダウンができる。
【００３３】
（その他の構成）
なお、本発明を、以下の構成としても実現できる。
【００３４】
複数のリード端子とモールド樹脂とにより構成されているｐｉｎヘッダーと、
シャーシ筐体と、
基板とにより構成されている部品ユニットのｐｉｎヘッダーにおいて、
リード端子を外部からの衝撃による折れ、曲がり、または歪みを防ぐ役割をしているモールド樹脂が、
シャーシ筐体と嵌合するための構造を有していることを特徴とするｐｉｎヘッダー。
【産業上の利用可能性】
【００３５】
本発明に係る部品ユニットおよびｐｉｎヘッダーは、たとえばテレビ放送用の電波受信装置において、好適に利用できる。
【図面の簡単な説明】
【００３６】
【図１】本発明の第１の実施形態に係る部品ユニットおよびｐｉｎヘッダーを示す図である。
【図２】本発明の第２の実施形態に係る部品ユニットおよびｐｉｎヘッダーを示す図である。
【図３】背景技術における部品ユニットおよびｐｉｎヘッダーを説明するための図である。
【符号の説明】
【００３７】
１，１ａ，１１  部品ユニット
２，２ａ，１２  ｐｉｎヘッダー
３，１３  基板
４，１４  シャーシ筐体
５，５ａ，１５  リード端子
６，１６，１７  モールド樹脂
【図１】
2009146609.tif 000003
【図２】
2009146609.tif 000004
【図３】
2009146609.tif 000005